【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
記録媒体に対して情報を記録する記録装置において、
前記記録媒体の所定の位置にアクセスし、情報を記録する記録手段と、
前記記録媒体のイジェクトを指令する指令手段と、
前記指令手段により前記記録媒体のイジェクトが指令されたとき、少なくとも、前記記録手段の前記記録媒体に対する直前のアクセス位置に関する情報を含むリジューム情報を記憶する記憶手段と、
前記記憶手段に記憶されたリジューム情報を、前記記録媒体をイジェクトする前に、前記記録媒体に記録させる記録制御手段と、
前記リジューム情報の記録が完了したとき、前記記録媒体をイジェクトするイジェクト手段と
を備えることを特徴とする記録装置。
【請求項２】
前記記憶手段は、直前のモードもさらに記憶する
ことを特徴とする請求項１に記載の記録装置。
【請求項３】
前記モードは、前記記録媒体から情報を再生するモード、前記記録媒体に対して情報をアペンド記録する第１の記録モード、または前記記録媒体に対して情報を上書き記録する第２の記録モードを含む
ことを特徴とする請求項２に記載の記録装置。
【請求項４】
前記リジューム情報に、前記リジューム情報を無効とする無効情報を付加する付加手段をさらに備える
ことを特徴とする請求項１に記載の記録装置。
【請求項５】
前記記憶手段は、時刻情報または動作モードもさらに記憶する
ことを特徴とする請求項１に記載の記録装置。
【請求項６】
記録媒体に対して情報を記録する記録装置の記録方法において、
前記記録媒体の所定の位置にアクセスし、情報を記録する記録ステップと、
前記記録媒体のイジェクトを指令する指令ステップと、
前記指令ステップで前記記録媒体のイジェクトが指令されたとき、少なくとも、前記記録再生ステップでの前記記録媒体に対する直前のアクセス位置に関する情報を含むリジューム情報を記憶する記憶ステップと、
前記記憶ステップで記憶されたリジューム情報を、前記記録媒体をイジェクトする前に、前記記録媒体に記録させる記録制御ステップと、
前記リジューム情報の記録が完了したとき、前記記録媒体をイジェクトするイジェクトステップと
を含むことを特徴とする記録方法。
【請求項７】
記録媒体に対して情報を記録する記録装置に、
前記記録媒体の所定の位置にアクセスし、情報を記録する記録ステップと、
前記記録媒体のイジェクトを指令する指令ステップと、
前記指令ステップで前記記録媒体のイジェクトが指令されたとき、少なくとも、前記記録再生ステップでの前記記録媒体に対する直前のアクセス位置に関する情報を含むリジューム情報を記憶する記憶ステップと、
前記記憶ステップで記憶されたリジューム情報を、前記記録媒体をイジェクトする前に、前記記録媒体に記録させる記録制御ステップと、
前記リジューム情報の記録が完了したとき、前記記録媒体をイジェクトするイジェクトステップと
を含む処理を実行させるコンピュータが読みとり可能なプログラムを提供することを特徴とする提供媒体。
【請求項８】
記録媒体から情報を再生する再生装置において、
前記記録媒体の所定の位置にアクセスし、情報を再生する再生手段と、
前記記録媒体が挿入されたとき、記録されているリジューム情報を読み取る読み取り手段と、
前記読み取り手段の読み取り結果に対応して、前記再生手段のアクセス位置を制御する位置制御手段と
を備えることを特徴とする再生装置。
【請求項９】
前記リジューム情報は、前記記録媒体がイジェクトされる直前の再生装置のモードもさらに含む
ことを特徴とする請求項８に記載の再生装置。
【請求項１０】
前記モードは、前記記録媒体から情報を再生するモードを含む
ことを特徴とする請求項８に記載の再生装置。
【請求項１１】
前記リジューム情報は、前記リジューム情報を無効とする無効情報をさらに含む
ことを特徴とする請求項８に記載の再生装置。
【請求項１２】
前記リジューム情報は、時刻情報もさらに含む
ことを特徴とする請求項８に記載の再生装置。
【請求項１３】
記録媒体から情報を再生する再生装置の再生方法において、
前記記録媒体の所定の位置にアクセスし、情報を再生する再生ステップと、
前記記録媒体が挿入されたとき、記録されているリジューム情報を読み取る読み取りステップと、
前記読み取りステップでの読み取り結果に対応して、前記再生ステップでのアクセス位置を制御する位置制御ステップと
を含むことを特徴とする再生方法。
【請求項１４】
記録媒体から情報を再生する再生装置に、
前記記録媒体の所定の位置にアクセスし、情報を再生する再生ステップと、
前記記録媒体が挿入されたとき、記録されているリジューム情報を読み取る読み取りステップと、
前記読み取りステップでの読み取り結果に対応して、前記再生ステップでのアクセス位置を制御する位置制御ステップと
を含む処理を実行させるコンピュータが読みとり可能なプログラムを提供することを特徴とする提供媒体。
【請求項１５】
記録媒体に対して情報を記録または再生する記録再生装置において、
前記記録媒体の所定の位置にアクセスし、情報を記録または再生する記録再生手段と、
前記記録媒体のイジェクトを指令する指令手段と、
前記指令手段により前記記録媒体のイジェクトが指令されたとき、少なくとも、前記記録再生手段の前記記録媒体に対する直前のアクセス位置に関する情報を含むリジューム情報を記憶する記憶手段と、
前記記憶手段に記憶されたリジューム情報を、前記記録媒体をイジェクトする前に、前記記録媒体に記録させる記録制御手段と、
前記リジューム情報の記録が完了したとき、前記記録媒体をイジェクトするイジェクト手段と、
前記記録媒体が挿入されたとき、記録されているリジューム情報を読み取る読み取り手段と、
前記読み取り手段の読み取り結果に対応して、前記記録再生手段のアクセス位置を制御する位置制御手段と
を備えることを特徴とする記録再生装置。
【請求項１６】
記録媒体に対して情報を記録または再生する記録再生装置の記録再生方法において、
前記記録媒体の所定の位置にアクセスし、情報を記録または再生する記録再生ステップと、
前記記録媒体のイジェクトを指令する指令ステップと、
前記指令ステップで前記記録媒体のイジェクトが指令されたとき、少なくとも、前記記録再生ステップでの前記記録媒体に対する直前のアクセス位置に関する情報を含むリジューム情報を記憶する記憶ステップと、
前記記憶ステップで記憶されたリジューム情報を、前記記録媒体をイジェクトする前に、前記記録媒体に記録させる記録制御ステップと、
前記リジューム情報の記録が完了したとき、前記記録媒体をイジェクトするイジェクトステップと、
前記記録媒体が挿入されたとき、記録されているリジューム情報を読み取る読み取りステップと、
前記読み取りステップの読み取り結果に対応して、前記記録再生ステップでのアクセス位置を制御する位置制御ステップと
を含むことを特徴とする記録再生方法。
【請求項１７】
記録媒体に対して情報を記録または再生する記録再生装置に、
前記記録媒体の所定の位置にアクセスし、情報を記録または再生する記録再生ステップと、
前記記録媒体のイジェクトを指令する指令ステップと、
前記指令ステップで前記記録媒体のイジェクトが指令されたとき、少なくとも、前記記録再生ステップでの前記記録媒体に対する直前のアクセス位置に関する情報を含むリジューム情報を記憶する記憶ステップと、
前記記憶ステップで記憶されたリジューム情報を、前記記録媒体をイジェクトする前に、前記記録媒体に記録させる記録制御ステップと、
前記リジューム情報の記録が完了したとき、前記記録媒体をイジェクトするイジェクトステップと、
前記記録媒体が挿入されたとき、記録されているリジューム情報を読み取る読み取りステップと、
前記読み取りステップの読み取り結果に対応して、前記記録再生ステップでのアクセス位置を制御する位置制御ステップと
を含む処理を実行させるコンピュータが読みとり可能なプログラムを提供することを特徴とする提供媒体。
【手続補正２】
【補正対象書類名】明細書
【補正対象項目名】０００６
【補正方法】変更
【補正の内容】
【０００６】
【課題を解決するための手段】
請求項１に記載の記録装置は、記録媒体の所定の位置にアクセスし、情報を記録する記録手段と、記録媒体のイジェクトを指令する指令手段と、指令手段により記録媒体のイジェクトが指令されたとき、少なくとも、記録手段の記録媒体に対する直前のアクセス位置に関する情報を含むリジューム情報を記憶する記憶手段と、記憶手段に記憶されたリジューム情報を、記録媒体をイジェクトする前に、記録媒体に記録させる記録制御手段と、リジューム情報の記録が完了したとき、記録媒体をイジェクトするイジェクト手段とを備えることを特徴とする。
【手続補正３】
【補正対象書類名】明細書
【補正対象項目名】０００７
【補正方法】変更
【補正の内容】
【０００７】
請求項６に記載の記録方法は、記録媒体の所定の位置にアクセスし、情報を記録する記録ステップと、記録媒体のイジェクトを指令する指令ステップと、指令ステップで記録媒体のイジェクトが指令されたとき、少なくとも、記録再生ステップでの記録媒体に対する直前のアクセス位置に関する情報を含むリジューム情報を記憶する記憶ステップと、記憶ステップで記憶されたリジューム情報を、記録媒体をイジェクトする前に、記録媒体に記録させる記録制御ステップと、リジューム情報の記録が完了したとき、記録媒体をイジェクトするイジェクトステップとを含むことを特徴とする。
【手続補正４】
【補正対象書類名】明細書
【補正対象項目名】０００８
【補正方法】変更
【補正の内容】
【０００８】
請求項７に記載の提供媒体は、記録媒体の所定の位置にアクセスし、情報を記録する記録ステップと、記録媒体のイジェクトを指令する指令ステップと、指令ステップで記録媒体のイジェクトが指令されたとき、少なくとも、記録再生ステップでの記録媒体に対する直前のアクセス位置に関する情報を含むリジューム情報を記憶する記憶ステップと、記憶ステップで記憶されたリジューム情報を、記録媒体をイジェクトする前に、記録媒体に記録させる記録制御ステップと、リジューム情報の記録が完了したとき、記録媒体をイジェクトするイジェクトステップとを含む処理を実行させるコンピュータが読みとり可能なプログラムを提供することを特徴とする。
【手続補正５】
【補正対象書類名】明細書
【補正対象項目名】００１２
【補正方法】変更
【補正の内容】
【００１２】
請求項１５に記載の記録再生装置は、記録媒体の所定の位置にアクセスし、情報を記録または再生する記録再生手段と、記録媒体のイジェクトを指令する指令手段と、指令手段により記録媒体のイジェクトが指令されたとき、少なくとも、記録再生手段の記録媒体に対する直前のアクセス位置に関する情報を含むリジューム情報を記憶する記憶手段と、記憶手段に記憶されたリジューム情報を、記録媒体をイジェクトする前に、記録媒体に記録させる記録制御手段と、リジューム情報の記録が完了したとき、記録媒体をイジェクトするイジェクト手段と、記録媒体が挿入されたとき、記録されているリジューム情報を読み取る読み取り手段と、読み取り手段の読み取り結果に対応して、記録再生手段のアクセス位置を制御する位置制御手段とを備えることを特徴とする。
【手続補正６】
【補正対象書類名】明細書
【補正対象項目名】００１３
【補正方法】変更
【補正の内容】
【００１３】
請求項１６に記載の記録再生方法は、記録媒体の所定の位置にアクセスし、情報を記録または再生する記録再生ステップと、記録媒体のイジェクトを指令する指令ステップと、指令ステップで記録媒体のイジェクトが指令されたとき、少なくとも、記録再生ステップでの記録媒体に対する直前のアクセス位置に関する情報を含むリジューム情報を記憶する記憶ステップと、記憶ステップで記憶されたリジューム情報を、記録媒体をイジェクトする前に、記録媒体に記録させる記録制御ステップと、リジューム情報の記録が完了したとき、記録媒体をイジェクトするイジェクトステップと、記録媒体が挿入されたとき、記録されているリジューム情報を読み取る読み取りステップと、読み取りステップの読み取り結果に対応して、記録再生ステップでのアクセス位置を制御する位置制御ステップとを含むことを特徴とする。
【手続補正７】
【補正対象書類名】明細書
【補正対象項目名】００１４
【補正方法】変更
【補正の内容】
【００１４】
請求項１７に記載の提供媒体は、記録媒体の所定の位置にアクセスし、情報を記録または再生する記録再生ステップと、記録媒体のイジェクトを指令する指令ステップと、指令ステップで記録媒体のイジェクトが指令されたとき、少なくとも、記録再生ステップでの記録媒体に対する直前のアクセス位置に関する情報を含むリジューム情報を記憶する記憶ステップと、記憶ステップで記憶されたリジューム情報を、記録媒体をイジェクトする前に、記録媒体に記録させる記録制御ステップと、リジューム情報の記録が完了したとき、記録媒体をイジェクトするイジェクトステップと、記録媒体が挿入されたとき、記録されているリジューム情報を読み取る読み取りステップと、読み取りステップの読み取り結果に対応して、記録再生ステップでのアクセス位置を制御する位置制御ステップとを含む処理を実行させるコンピュータが読みとり可能なプログラムを提供することを特徴とする。
【手続補正８】
【補正対象書類名】明細書
【補正対象項目名】００１５
【補正方法】変更
【補正の内容】
【００１５】
請求項１に記載の記録装置、請求項６に記載の記録方法、および請求項７に記載の提供媒体においては、記録媒体のイジェクトが指令されたとき、少なくとも、記録媒体に対する直前のアクセス位置に関する情報を含むリジューム情報が記録媒体に記録される。
【手続補正９】
【補正対象書類名】明細書
【補正対象項目名】００１７
【補正方法】変更
【補正の内容】
【００１７】
請求項１５に記載の記録再生装置、請求項１６に記載の記録再生方法、および請求項１７に記載の提供媒体においては、記録媒体のイジェクトが指令されたとき、記録媒体に対する直前のアクセス位置に関する情報を含むリジューム情報が記録媒体に記録される。また、記録媒体が挿入されたとき、記録媒体に記録されているリジューム情報が読み取られ、読み取り結果に対応して、アクセス位置が制御される。
【手続補正１０】
【補正対象書類名】明細書
【補正対象項目名】００１９
【補正方法】変更
【補正の内容】
【００１９】
請求項１に記載の記録装置は、記録媒体の所定の位置にアクセスし、情報を記録する記録手段（例えば、図２５の光ヘッド２）と、記録媒体のイジェクトを指令する指令手段（例えば、図２５の入力部１４）と、指令手段により記録媒体のイジェクトが指令されたとき、少なくとも、記録手段の記録媒体に対する直前のアクセス位置に関する情報を含むリジューム情報を記憶する記憶手段（例えば、図４０のステップＳ５）と、記憶手段に記憶されたリジューム情報を、記録媒体をイジェクトする前に、記録媒体に記録させる記録制御手段（例えば、図４０のステップＳ１１）と、リジューム情報の記録が完了したとき、記録媒体をイジェクトするイジェクト手段（例えば、図４０のステップＳ１２）とを備えることを特徴とする。
【手続補正１１】
【補正対象書類名】明細書
【補正対象項目名】００２２
【補正方法】変更
【補正の内容】
【００２２】
請求項１５に記載の記録再生装置は、記録媒体の所定の位置にアクセスし、情報を記録または再生する記録再生手段（例えば、図２５の光ヘッド２）と、記録媒体のイジェクトを指令する指令手段（例えば、図２５の入力部１４）と、指令手段により記録媒体のイジェクトが指令されたとき、少なくとも、記録再生手段の記録媒体に対する直前のアクセス位置に関する情報を含むリジューム情報を記憶する記憶手段（例えば、図４０のステップＳ５）と、記憶手段に記憶されたリジューム情報を、記録媒体をイジェクトする前に、記録媒体に記録させる記録制御手段（例えば、図４０のステップＳ１１）と、リジューム情報の記録が完了したとき、記録媒体をイジェクトするイジェクト手段（例えば、図４０のステップＳ１２）と、記録媒体が挿入されたとき、記録されているリジューム情報を読み取る読み取り手段（例えば、図４１のステップＳ２３）と、読み取り手段の読み取り結果に対応して、記録再生手段のアクセス位置を制御する位置制御手段（例えば、図４１のステップＳ２９）とを備えることを特徴とする。
【手続補正１２】
【補正対象書類名】明細書
【補正対象項目名】０１８７
【補正方法】変更
【補正の内容】
【０１８７】
【発明の効果】
以上の如く、請求項１に記載の記録装置、請求項６に記載の記録方法、および請求項７に記載の提供媒体によれば、記録媒体のイジェクトが指令されたとき、少なくとも、記録媒体に対する直前のアクセス位置に関する情報を含むリジューム情報を、記録媒体に記録するようにしたので、記録媒体を記録装置に再度装着した場合、イジェクト直前の動作状態で、イジェクト直前のアクセス位置にアクセスすることが可能な記録媒体を提供することができる。